【手続補正書】
【提出日】平成15年7月17日(2003.7.17)
【手続補正１】
【補正対象書類名】明細書
【補正対象項目名】特許請求の範囲
【補正方法】変更
【補正の内容】
【特許請求の範囲】
【請求項１】
光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置であって、
前記投射型表示装置の本体側には、前記投射型表示装置の電源をオン／オフする前記リモートコントローラの電源スイッチ部の機能を規制可能とする電源スイッチ規制手段が設けられていることを特徴とする投写型表示装置。
【請求項２】
請求項１に記載の投写型表示装置において、
当該投写型表示装置の設定を行う設定画面を前記投写面上に表示する設定画面表示手段を有し、
この設定画面上のメニュー選択により、前記電源スイッチ規制手段の規制状態が切り替え可能となっていることを特徴とする投写型表示装置。
【請求項３】
請求項１に記載の投写型表示装置において、
前記電源スイッチ規制手段の規制状態を切り替え可能とする専用スイッチが設けられていることを特徴とする投写型表示装置。
【請求項４】
光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置であって、
前記投射型表示装置の本体側には、前記投写レンズのズーム調整を行う前記リモートコントローラのズーム調整部、および／または前記投写レンズのフォーカス調整を行う前記リモートコントローラのフォーカス調整部の機能を規制可能とするズーム・フォーカス調整機能規制手段が設けられていることを特徴とする投写型表示装置。
【請求項５】
請求項４に記載の投写型表示装置において、
当該投写型表示装置の設定を行う設定画面を前記投写面上に表示する設定画面表示手段を有し、
この設定画面上のメニュー選択により、前記ズーム・フォーカス調整機能規制手段の規制状態が切り替え可能となっていることを特徴とする投写型表示装置。
【請求項６】
請求項４に記載の投写型表示装置において、
本体側ズーム調整部および本体側フォーカス調整部を備え、
この本体側ズーム調整部または本体側フォーカス調整部と、他の調整部とを同時に操作することにより、前記ズーム・フォーカス調整機能規制手段の規制状態が切り替え可能となっていることを特徴とする投写型表示装置。
【請求項７】
請求項４に記載の投写型表示装置において、
前記ズーム・フォーカス調整機能規制手段の規制状態を切り替え可能な専用スイッチが設けられていることを特徴とする投写型表示装置。
【請求項８】
光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置であって、
前記投射型表示装置の本体側には、前記投写面上に表示される前記光学像を調整する前記リモートコントローラの画像調整部の機能を規制可能とする画像調整機能規制手段が設けられていることを特徴とする投写型表示装置。
【請求項９】
請求項８に記載の投写型表示装置において、
当該投写型表示装置の設定を行う設定画面を前記投写面上に表示する設定画面表示手段を有し、
この設定画面上のメニュー選択により、前記画像調整機能規制手段の規制状態が切り替え可能となっていることを特徴とする投写型表示装置。
【請求項１０】
請求項８に記載の投写型表示装置において、
前記画像調整機能規制手段の規制状態を切り替え可能な専用スイッチが設けられていることを特徴とする投写型表示装置。
【請求項１１】
光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置であって、
電源スイッチボタン、調整ボタンの各種ボタンと、
電源スイッチ規制手段、ズーム調整機能規制手段、フォーカス調整機能規制手段、画像調整機能規制手段の各種規制手段と、
前記各種規制手段の規制状態を切り替え可能とする専用スイッチとを備え、
前記各種ボタンと前記専用スイッチとを組み合わせることで、前記各種規制手段の規制状態を切り替えることを特徴とする投写型表示装置。
【請求項１２】
光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置であって、
前記投写型表示装置の種々の設定を行うためのメニュー画面を表示させるための、本体側電源スイッチボタンまたは本体側メニューボタンと、
電源スイッチ規制手段、ズーム・フォーカス調整機能規制手段、画像調整機能規制手段の各種規制手段と、
前記メニュー画面のメニューの中から設定メニューを選択しリモートコントローラの設定メニューを表示させるための、第１のボタンと、
前記リモートコントローラの設定メニューにおいて前記各種規制手段の規制状態を切り替えた後に、該規制状態を決定するための第２のボタンとを有することを特徴とする投写型表示装置。
【手続補正２】
【補正対象書類名】明細書
【補正対象項目名】０００２
【補正方法】変更
【補正の内容】
【０００２】
【背景技術】
従来より、光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置が知られている。また、各機能を制御する遠隔制御送信機にロック機能を具備する構成が知られている（特許文献１）
【特許文献１】
特開平６−４６３３７
【手続補正３】
【補正対象書類名】明細書
【補正対象項目名】０００７
【補正方法】変更
【補正の内容】
【０００７】
【課題を解決するための手段】
本発明に係る投写型表示装置は、光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置であって、前記投射型表示装置の本体側には、前記投射型表示装置の電源をオン／オフする前記リモートコントローラの電源スイッチ部の機能を規制可能とする電源スイッチ規制手段が設けられていることを特徴とする。


【手続補正４】
【補正対象書類名】明細書
【補正対象項目名】００１３
【補正方法】変更
【補正の内容】
【００１３】
また、本発明に係る投写型表示装置は、光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置であって、前記投射型表示装置の本体側には、前記投写レンズのズーム調整を行う前記リモートコントローラのズーム調整部、および／または前記投写レンズのフォーカス調整を行う前記リモートコントローラのフォーカス調整部の機能を規制可能とするズーム・フォーカス調整機能規制手段が設けられていることを特徴とする。


【手続補正５】
【補正対象書類名】明細書
【補正対象項目名】００１７
【補正方法】変更
【補正の内容】
【００１７】
さらに、本発明に係る投写型表示装置は、光源ランプ、この光源ランプから出射された光束を光学的に処理して画像情報に応じて光学像を形成する光学系、およびこの光学像を投写面に拡大投写する投写レンズを備え、リモートコントローラによって制御可能な投写型表示装置であって、前記投射型表示装置の本体側には、前記投写面上に表示される前記光学像を調整する前記リモートコントローラの画像調整部の機能を規制可能とする画像調整機能規制手段が設けられていることを特徴とする。


【手続補正６】
【補正対象書類名】明細書
【補正対象項目名】００１９
【補正方法】変更
【補正の内容】
【００１９】
このような本発明によれば、リモートコントローラ上の画像調整部の機能を規制する画像調整機能規制手段が設けられているので、投写型表示装置に所定の解像度、リフレッシュレートに設定されたコンピュータからのＲＧＢ信号しか入力されなければ、画像調整部の機能を規制して誤操作による表示画面の乱れを防止することができる。一方、投写型表示装置に解像度等の設定の異なるコンピュータが複数接続され、説明中にコンピュータの切り替えを行うような場合には、画像調整部の機能を有効にすることにより、リモートコントローラ上でコンピュータに応じた設定に調整することができる。また、本発明に係る投写型表示装置は、電源スイッチボタン、調整ボタンの各種ボタンと、電源スイッチ規制手段、ズーム調整機能規制手段、フォーカス調整機能規制手段、画像調整機能規制手段の各種規制手段と、前記各種規制手段の規制状態を切り替え可能とする専用スイッチとを備え、前記各種ボタンと前記専用スイッチとを組み合わせることで、前記各種規制手段の規制状態を切り替えることを特徴とする。また、本発明に係る投写型表示装置は、前記投写型表示装置の種々の設定を行うためのメニュー画面を表示させるための、本体側電源スイッチボタンまたは本体側メニューボタンと、電源スイッチ規制手段、ズーム・フォーカス調整機能規制手段、画像調整機能規制手段の各種規制手段と、前記メニュー画面のメニューの中から設定メニューを選択しリモートコントローラの設定メニューを表示させるための、第１のボタンと、前記リモートコントローラの設定メニューにおいて前記各種規制手段の規制状態を切り替えた後に、該規制状態を決定するための第２のボタンとを有することを特徴とする。
【手続補正７】
【補正対象書類名】明細書
【補正対象項目名】００７０
【補正方法】変更
【補正の内容】
【００７０】
また、本体側ズーム調整ボタン６２または本体側フォーカス調整ボタン６３と、他の調整ボタン６９１、６９２を同時操作することにより、ズーム・フォーカス調整機能規制手段の切替が行えるのであれば、投写型表示装置１に別途専用のスイッチを設ける必要がなく、投写型表示装置１の構造の簡素化を図ることができる。さらに、本体側ズーム調整ボタン８２または本体側フォーカス調整ボタンと他の調整ボタン６９１、６９２とを同時操作するだけで、規制状態を切り替えることができるので、実施形態のように、設定画面の呼び出し、リモートコントローラの設定変更という手順を踏む必要がなく、迅速に規制状態を切り替えることができる。そして、投写型表示装置１上に、上述した操作によりズーム、フォーカス調整機能の規制状態が切り替えられる旨を表示しなければ、規制状態を隠しコマンド的な操作により切り替えるようにすることができるので、リモートコントローラ８０を不特定多数の利用者に供しても、容易に規制状態が変更されることがなく、展示会等で投写型表示装置１を用いても、いたずら等によりズーム、フォーカスが狂うことがない。